(57)【要約】【課題】画像データに間違ったタイトル情報を付加することを防止する。【解決手段】予め設定されたタイトル情報及びサブタイトル情報を記憶した不揮発性メモリ４６と、ユーザーによって選択されたタイトル情報及びサブタイトル情報をシステムメモリ３５に設定するタイトル情報設定部６０と、設定されたタイトル情報及びサブタイトル情報を解除するタイトル情報解除部６２とを備える。撮影前にタイトル情報及びサブタイトル情報が設定される。撮影が行われると、画像ファイルの付加情報にタイトル情報及びサブタイトル情報が付加され、画像ファイルはメモリカードのサブタイトル情報に対応するサブフォルダに格納される。電源のオフ操作により、システムメモリ３５に設定されたタイトル情報及びサブタイトル情報の設定が解除される。【選択図】        図４
2007060432.tif 000002
【特許請求の範囲】
【請求項１】
撮影画像のジャンルに応じた各種タイトル情報が予め記憶された記憶手段と、
前記記憶手段からユーザが選択した前記タイトル情報を撮影した画像データに付加する情報として設定するタイトル情報設定手段と、
撮影が行われるたびに、設定された前記タイトル情報を前記画像データに付加し、前記タイトル情報が付加された前記画像データを記録媒体に記録する記録手段と、
ユーザが行う特定操作に伴って所定条件が満たされた際に、前記タイトル情報設定手段に設定した前記タイトル情報の設定を解除する設定解除手段とを備えたことを特徴とするデジタルカメラ。
【請求項２】
ユーザが前記特定操作を行ってからの経過時間を計時する計時手段と、
前記計時手段の計時結果が予め設定された基準時間を越えたか否かを判定する判定手段とを備えており、
前記判定手段によって前記計時結果が前記基準時間を越えたと判定された場合に、前記所定条件が満たされることを特徴とする請求項１記載のデジタルカメラ。
【請求項３】
撮影画像のジャンルに応じた各種タイトル情報が予め記憶された記憶手段と、
前記記憶手段からユーザが選択した前記タイトル情報を撮影した画像データに付加する情報として設定するタイトル情報設定手段と、
撮影が行われるたびに、設定された前記タイトル情報を付加し、前記タイトル情報が付加された前記画像データを記録媒体に記録する記録手段と、
前記画像データに基づいて撮影画像を表示する表示手段を備え、
撮影の前に行われる撮影準備処理が完了した際に、前記表示手段に前記タイトル情報設定手段に設定された前記タイトル情報を表示することを特徴とするデジタルカメラ。
【請求項４】
前記記録媒体に前記タイトル情報に対応するフォルダを作成するフォルダ作成手段を備えており、
前記タイトル情報が付加された前記画像データは、前記タイトル情報に対応するフォルダに格納されることを特徴とする請求項１ないし３いずれか記載のデジタルカメラ。
【請求項５】
前記タイトル情報設定手段に前記タイトル情報が設定されているか否かを検出するタイトル情報検出手段と、
前記タイトル情報検出手段の検出結果に基づいて、前記タイトル情報の設定の有無を報知する報知手段とを備えたことを特徴とする請求項１ないし４いずれか記載のデジタルカメラ。
【請求項６】
ユーザによって操作され、文字データが入力される文字データ入力手段を備えており、
前記タイトル情報は、ユーザが前記文字データ入力手段を操作して前記文字データを入力することで、前記記憶手段に記憶されることを特徴とする請求項１ないし５いずれか記載のデジタルカメラ。
【発明の詳細な説明】
【技術分野】
【０００１】
本発明は、撮影画像のジャンルに応じたタイトル情報を付加した画像データを記録媒体に記録するデジタルカメラに関するものである。
【背景技術】
【０００２】
近年、ＣＣＤやＣＭＯＳなどの撮像素子を用いて撮影を行うデジタルカメラが急速に普及している。デジタルカメラは、撮像素子で撮影された撮影画像をデジタルの画像データに変換して画像ファイルに記録する。さらに、この画像ファイルには、撮影日時、撮影条件、撮影画像のジャンルに応じたタイトル情報（例えば、スポーツ、学校、ゴルフ大会、遠足など）等からなる付属情報も記録する。付属情報を記録する部位としてはデジタルカメラの一般的なファイルフォーマットであるＥｘｉｆ（Exchangeable Image File Format）規格に規定されているタグが利用される。この画像ファイルはデジタルカメラの内蔵メモリやメモリカードなどの記録媒体に記録される。そして、ユーザは、パソコン等を用いて撮影された各画像ファイルから付属情報を読み出して、例えばタイトル情報を検索することにより、所望の画像ファイルを探している。
【０００３】
このように、記録媒体に付属情報が付加された画像ファイルを記録する電子カメラである特許文献１では、ユーザがファイル名称と時間単位を入力することによって、撮影によって得られた画像ファイルにファイル名称、基準日時から撮影日時までの経過時間、整理番号、画像ファイルの拡張子を組み合わせたファイル名（撮影画像に関する情報）を付けている。
【特許文献１】特開２０００−１３４５６４号公報
【発明の開示】
【発明が解決しようとする課題】
【０００４】
しかしながら、特許文献１のように、撮影毎にユーザがファイル名称や時間単位を入力することは、非常に煩雑である。また、一度入力したファイル名称、時間単位を継続して用いる場合、撮影する度に入力されたファイル名称及び時間単位に基づいて決定されたファイル名が画像ファイルに付加される。そのため、撮影条件や撮影画像のジャンルを変更した場合には、ユーザはファイル名及び時間単位を改めて入力し直さなければならない。しかし、ユーザがファイル名称及び時間単位の変更を忘れてしまうと、間違ったファイル名が画像ファイルに付加されるという問題がある。そのため、記録媒体に記録された複数の画像ファイルから所望の画像ファイルを探し出すことが困難になる。
【０００５】
本発明のデジタルカメラは、上記問題を解決するためになされたものであり、画像データに撮影画像のジャンルに応じたタイトル情報を付加する際に、間違ったタイトル情報を付加することを防止できるデジタルカメラを提供することを目的とする。
【課題を解決するための手段】
【０００６】
本発明は上記目的を達成するために、撮影画像のジャンルに応じた各種タイトル情報が予め記憶された記憶手段と、前記記憶手段からユーザによって選択された前記タイトル情報を前記画像データに付加する情報として設定するタイトル情報設定手段と、撮影が行われるたびに、前記画像データに前記タイトル情報設定手段に設定された前記タイトル情報を付加し、前記タイトル情報が付加された前記画像データを記録媒体に記録する記録手段と、ユーザが行う特定操作に伴って所定条件が満たされた際に、前記タイトル情報設定手段に設定された前記タイトル情報の設定を解除する設定解除手段とを備えたことを特徴とするものである。また、ユーザが前記特定操作を行ってからの経過時間を計時する計時手段と、前記計時手段の計時結果が予め設定された基準時間を越えたか否かを判定する判定手段とを備えており、前記判定手段によって前記計時結果が前記基準時間を越えたと判定された場合に、前記所定条件が満たされるようにしてもよい。
【０００７】
また、撮影画像のジャンルに応じた各種タイトル情報が予め記憶された記憶手段と、前記記憶手段からユーザによって選択された前記タイトル情報を前記画像データに付加する情報として設定するタイトル情報設定手段と、撮影が行われるたびに、前記画像データに前記タイトル情報設定手段に設定された前記タイトル情報を付加し、前記タイトル情報が付加された前記画像データを記録媒体に記録する記録手段と、前記画像データに基づいて撮影画像を表示する表示手段を備え、撮影の前に行われる撮影準備処理が完了した際に、前記表示手段に前記タイトル情報設定手段に設定された前記タイトル情報を表示するようにしてもよい。
【０００８】
また、前記記録媒体に前記タイトル情報に対応するフォルダを作成するフォルダ作成手段を備えており、前記タイトル情報が付加された前記画像データは、前記タイトル情報に対応するフォルダに格納されるようにしてもよい。また、前記タイトル情報設定手段に前記タイトル情報が設定されているか否かを検出するタイトル検出手段と、前記タイトル検出手段の検出結果に基づいて、前記タイトル情報の設定の有無を報知する報知手段とを備えてもよい。また、ユーザによって操作され、文字データが入力される文字データ入力手段を備えており、前記タイトル情報は、ユーザが前記文字データ入力手段を操作して前記文字データを入力することで、前記記憶手段に記憶されるようにしてもよい。
【発明の効果】
【０００９】
本発明のデジタルカメラによれば、撮影画像のジャンルに応じた各種タイトル情報が予め記憶された記憶手段と、記憶手段からユーザが選択したタイトル情報を画像データに付加する情報として設定するタイトル情報設定手段と、撮影が行われるたびに、画像データにタイトル情報設定手段に設定されたタイトル情報を付加し、タイトル情報が付加された画像データを記録媒体に記録する記録手段と、ユーザが行う特定操作に伴って所定条件が満たされた際に、タイトル情報設定手段に設定されたタイトル情報の設定を解除する設定解除手段とを備えたので、タイトル情報が設定されたままとならない。よって、画像データに間違ったタイトル情報を付加することを防止できる。また、ユーザが特定操作を行ってからの経過時間を計時する計時手段と、計時手段の計時結果が予め設定された基準時間を越えたか否かを判定する判定手段とを備えており、判定手段によって計時結果が基準時間を越えたと判定された場合に、所定条件が満たされるようにしたので、１つのタイトル情報が設定されたままとなることを防止できる。よって、間違ったタイトル情報を画像データに付加することを防止できる。
【００１０】
また、撮影画像のジャンルに応じた各種タイトル情報が予め記憶された記憶手段と、記憶手段からユーザによって選択されたタイトル情報を画像データに付加する情報として設定するタイトル情報設定手段と、撮影が行われるたびに、画像データにタイトル情報設定手段に設定されたタイトル情報を付加し、タイトル情報が付加された画像データを記録媒体に記録する記録手段と、画像データに基づいて撮影画像を表示する表示手段を備え、撮影の前に行われる撮影準備処理が完了した際に、表示手段にタイトル情報設定手段に設定されたタイトル情報を表示するようにしたので、ユーザは撮影を行う前に設定されたタイトル情報を確認できる。よって、間違ったタイトル情報を画像データに付加することを防止できる。
【００１１】
また、記録媒体にタイトル情報に対応するフォルダを作成するフォルダ作成手段を備えており、タイトル情報が付加された画像データは、タイトル情報に対応するフォルダに格納されるようにしたので、複数の画像データが記録媒体に記録されても所望の画像データを容易に探し出すことができる。また、タイトル情報設定手段にタイトル情報が設定されているか否かを検出するタイトル情報検出手段と、タイトル情報検出手段の検出結果に基づいて、タイトル情報の設定の有無を報知する報知手段とを備えたので、ユーザは表示手段によってフレーミングを行う際などに、タイトル情報の設定の有無を確認することができる。よって、タイトル情報を設定することを忘れることを防止できる。また、ユーザによって操作され、文字データが入力される文字データ入力手段を備えており、タイトル情報は、ユーザが文字データ入力手段を操作して文字データを入力することで、記憶手段に記憶されるようにしたので、ユーザの撮影スタイルにあったタイトル情報を設定することができる。よって、デジタルカメラの使い勝手が良くなる。
【発明を実施するための最良の形態】
【００１２】
図１および図２において、デジタルカメラ２には、撮像レンズ１０が組み込まれたレンズ鏡胴１１、光学ファインダを構成するファインダ対物窓１２とファインダ接眼窓１３、およびストロボ装置１４が設けられている。側面および上面には、グリップ部１５、モードダイヤル１６、およびレリーズボタン１７が設けられており、他方の側面には、記録媒体であるメモリカード１８が着脱自在に装填されるカードスロット１９が設けられている。
【００１３】
撮像レンズ１０の背後には、図示しないＣＣＤイメージセンサが配置されており、これらとレンズ鏡胴１１とで撮像部３２（図４参照）を構成している。ＣＣＤイメージセンサからの撮像信号は、Ａ／Ｄ変換器３４（図４参照）によりデジタルの画像データに変換される。この画像データは、デジタルカメラ２の背面に設けられた表示手段である液晶表示装置（以下、ＬＣＤという）２０で、いわゆるスルー画像として表示される。また、このＬＣＤ２０、あるいは光学ファインダを通して被写体画像のフレーミングが行われる。
【００１４】
レリーズボタン１７は、２段階押しのスイッチとなっており、ＬＣＤ２０または光学ファインダによるフレーミングの後にレリーズボタン１７を軽く押圧（半押し）すると、露光調整、撮像レンズ１０の焦点調整などの各種撮影準備処理が施される。撮影準備処理が施された撮像信号は、レリーズボタン１７を離すまでデータロックされる。そして、この状態でレリーズボタン１７をもう１度強く押圧（全押し）すると、撮影準備処理が施された１画面分の撮像信号が画像データに変換された後、この画像データと後述する撮影条件などの付属情報とからなる画像ファイルがメモリカード１８に記録される。なお、メモリカード１８は、例えば不揮発性の半導体メモリであるフラッシュメモリを使用している。
【００１５】
デジタルカメラ２の背面には、ＬＣＤ２０のほかに、電源のオン／オフ切替えを行う電源ボタン２２、撮像レンズ１０のズームレンズをワイド側、テレ側に変倍するズーム操作ボタン２３、およびＬＣＤ２０に表示されるメニュー画面内でカーソル２８（図３参照）を移動させるカーソル操作ボタン２４、決定ボタン２５、キャンセルボタン２６等からなる操作部２１が設けられている。なお、操作部２１の構成はこれに限るものではない。
【００１６】
デジタルカメラ２では、静止画撮影を行う静止画撮影モード、動画撮影を行う動画撮影モード、撮影した画像をＬＣＤ２０に表示する再生モード、および各種設定を行うセットアップモードが選択可能となっている。これらのモードの切り替えは、モードダイヤル１６に表示された各種モードを表すマーク（図示せず）を指標に合わせるように回動操作させることで行われる。
【００１７】
セットアップモードでは、図３（Ａ）に示すように、画素数、クオリティ、タイトル、ビープ音の項目からなる撮影メニュー画面２９ａがＬＣＤ２０に表示される。ユーザはカーソル２８でいずれかの項目を選択して設定変更を行う。画素数は、撮影画像を記録する際の画素数を設定する。クオリティは、画像データを記録する際の圧縮率を設定する。タイトルは、撮影ジャンルに応じたタイトル情報を設定する。ビープ音は、各種ボタンを操作した際に発する確認音の大きさを設定する。
【００１８】
撮影メニュー画面２９ａで画像タイトルの項目が選択されると、図３（Ｂ）に示すように、ＬＣＤ２０にはタイトル画面２９ｂが表示される。タイトル画面２９ｂには「スポーツ」、「家族」、「旅行」の撮影画像のタイトルと、「新規入力」が表示される。ユーザはカーソル２８によって撮影画像のジャンルに当てはまるタイトルを選択する。
【００１９】
タイトル画面２９ｂでタイトルが選択されると、図３（Ｃ）に示すように、ＬＣＤ２０にはサブタイトル画面２９ｃが表示される。サブタイトル画面２９には、タイトルに関連付けられた複数のサブタイトルが表示される。このサブタイトル画面２９ｃで選択されたサブタイトル情報がデジタルカメラ２に設定される。なお、図３（Ｃ）には、「スポーツ」のタイトルに関連付けられたサブタイトル「ゴルフ大会」、「野球大会」、「スキー」と、「新規入力」が表示されている。また、図中のカーソル２８（四角い枠）で囲まれている部分は、現在選択されている項目を示す。
【００２０】
なお、詳しくは後述するが、本実施形態のデジタルカメラ２は、撮影前にタイトル情報及びサブタイトル情報を設定しておき、撮影によって得られた画像ファイルの付属情報に、タイトル情報及びサブタイトル情報を付加し、この画像ファイルをメモリカードのサブタイトルに対応するフォルダに格納する機能を備えている。また、本実施形態で説明する「画像タイトルを設定する」とは、タイトル画面２９ｂでタイトル（スポーツ、家族、旅行）が選択された後、このタイトルに関連つけられたサブタイトル（ゴルフ大会、野球大会など）を選択し、選択されたタイトル情報及びサブタイトル情報をシステムメモリ３５に設定することを示す。また、本明細書中で示される「画像タイトル情報」とは、タイトル情報とサブタイトル情報のことを示す。
【００２１】
デジタルカメラ２の電気的構成を示す図４において、ＣＰＵ３０は、バス３１を介してデジタルカメラ２の各部を制御する。撮像部３２は、撮像レンズ１０からの光学的な被写体画像をＣＣＤイメージセンサで電気的な撮像信号に変換する。撮像部３２からの撮像信号は、信号処理部３３により輪郭強調、ガンマ補正、ホワイトバランス調整などの各種信号処理が施され、Ａ／Ｄ変換器３４でデジタルの画像データに変換される。
【００２２】
システムメモリ３５は、撮影シーケンスを行うための各種プログラムが記憶されるＲＯＭや、プログラムの実行に必要な各種データが一時記憶されるＲＡＭから構成される。ＣＰＵ３０は、バス３１を介してシステムメモリ３５に記憶されたプログラムやデータを読み出し、これらに基づいてデジタルカメラ２の各部を制御する。
【００２３】
フレームメモリ３７には、画像処理が施された１フレーム分の画像データが書き込まれる。フレームメモリ３７に書き込まれた画像データは、次回の撮影を実行するまで保存される。
【００２４】
画像圧縮・伸張回路３９は、フレームメモリ３７に書き込まれた画像データに対して、例えばＪＰＥＧ形式で圧縮処理を施す。圧縮処理後の画像データは、撮影条件などからなる付属情報とともに一つの画像ファイルとしてメモリカード１８に記録される。
【００２５】
図５に示すように、メモリカード１８に記録される画像ファイル４０は、主画像データ４０ａ、サムネイル画像データ４０ｂ、及び付属情報４０ｃからなり、ＥＸＩＦ形式で生成されている。付属情報４０ｃは、タグ領域に格納される。この付属情報４０ｃとしては、撮影年月日、撮影モード、ホワイトバランス、シャッタースピード、フォーカス方式、ストロボ発光の有無などの撮影条件と、撮影画像のジャンルに応じた画像タイトル情報が含まれている。
【００２６】
図４に示す記憶手段である不揮発性メモリ４６は、例えばＥＥＰＲＯＭなどの書き換え可能な記憶媒体である。不揮発性メモリ４６には、撮影画像に関する情報として、撮影画像のタイトルを示すタイトル情報とサブタイトル情報がデジタルカメラ２の製造時に予め記憶されている。タイトル情報は、例えば「スポーツ」、「学校」、「旅行」などの大きなタイトルが設定されており、サブタイトル情報は、タイトル情報に関連付けられており、例えば「ゴルフ大会」、「遠足」、「温泉旅行」などタイトル情報よりも詳細なサアブタイトルが設定されている。
【００２７】
メモリリーダ／ライタ４１は、メモリカード１８に対してデータの書き込み、またはメモリカード１８からデータの読み込みを行うものである。カードスロットル１９の内部にはメモリカード１８と接続する端子が設けられており、この端子を通じてメモリリーダ／ライタ４１とメモリカード１８はデータの受け渡しを行う。
【００２８】
フォルダ作成手段であるメモリリーダ／ライタ４１は、タイトル情報及びサブタイトル情報に基づいてメモリカード１８に階層（ディレクトリ）構造でフォルダを作成する。図６に示すように、メモリリーダ／ライタ４１はメモリカード１８にルートディレクトリ５０を根幹として、各タイトル情報に対応するフォルダ５１と、このフォルダ５１内に、タイトル情報に関連付けられたサブタイトル情報に対応するサブフォルダ５２を階層構造で作成する。この時、フォルダ５１にはタイトル情報に対応する「スポーツ」、「家族」などのフォルダ名が付けられる。同様に、サブタイトル５２にも、サブタイトル情報に対応する「ゴルフ大会」、「野球大会」、「遠足」などのサブフォルダ名が付けられる。以下、「スポーツ」とフォルダ名が付けられたフォルダ５１を、「スポーツ」のフォルダ５１、「ゴルフ大会」とフォルダ名が付けられたサブフォルダ５２を「ゴルフ大会」のサブフォルダ５２という。
【００２９】
オン・スクリーン・ディスプレイ（以下、ＯＳＤ）回路５５は、図７（Ｂ）に示すように、ＬＣＤ２０にソフトキーボード５６を表示させる。このＬＣＤ２０上にはソフトキーボード５６に対応する位置に、タッチパネル５７が設けられている。なお、ソフトキーボード５６の構成としてはこれに限るものではない。
【００３０】
図４に示すように、タッチパネル５７は、ユーザによって触られたときに、その接触位置を検出する。このタッチパネル５７としては、アナログ容量結合方式、５線式アナログ抵抗膜方式、超音波表面弾性波方式、４線式アナログ抵抗膜方式などを使用可能であるが、光透過性が高く鮮明な画像を表示することが可能な超音波表面弾性波方式のタッチパネルを用いることが好ましい。
【００３１】
タッチパネル５７は、接触位置を検出して接触位置情報をＣＰＵ３０に入力する。ＣＰＵ３０は、タッチパネル５７から入力された接触位置情報と、ソフトキーボード５６の文字配列情報とに基づいて文字データを判別する。これにより、ユーザは新規にタイトル情報またはサブタイトル情報を入力することができる。また、入力されたタイトル情報またはサブタイトル情報は、ＣＰＵ３０によって不揮発性メモリ４６に更新記録される。さらに、ＣＰＵ３０は、メモリリーダ／ライタ４１を制御して、メモリカード１８に新規に入力されたタイトル情報に対応するフォルダ５１や、サブタイトル情報に対応するサブフォルダ５２を作成させる。なお、文字データ入力手段としては、ＯＣＤ回路５５とタッチパネル５７で構成されている。
【００３２】
タイトル情報設定部６０は、図３（Ｂ）に示すタイトル画面２９ｂによって選択されたタイトル、及び図３（Ｃ）に示すサブタイトル画面２９ｃによって選択されたサブタイトルの情報を不揮発性メモリ４６から読み出してシステムメモリ３５に設定する。なお、システムメモリ３５に設定されたタイトル情報、及びサブタイトル情報は解除指示が出力されるまで設定状態が継続される。
【００３３】
タイトル情報検出部６１は、システムメモリ３５にタイトル情報及びサブタイトル情報が設定されているか否かを検出する。この検出結果はＣＰＵ３０に入力される。タイトル情報及びサブタイトル情報が設定されている場合には、ＣＰＵ３０は撮影によって得られた画像ファイル４０の付属情報４０ｃにタイトル情報とサブタイトル情報を付加する。
【００３４】
さらに、報知手段であるＣＰＵ３０は、タイトル情報検出部６１の検出結果に基づいて、ユーザにタイトル情報の設定の有無を報知する。タイトル情報検出部６１によってタイトル情報が設定されていることが検出された場合には、図８（Ａ）に示すように、ＣＰＵ３０はＬＣＤ２０に「Ｔｉｔｌｅ」という文字を表示する。また、タイトル情報検出部６１で、タイトル情報が設定されていることが検出されない場合には、図８（Ｂ）に示すように、ＬＣＤ２０に「Ｎｏ  Ｔｉｔｌｅ」という文字を表示する。なお、報知手段としては、ＬＣＤ２０とＣＰＵ３０によって構成されている。また、タイトル情報の設定の有無を報知するためにＬＣＤ２０に表示する文字は、これに限るものではなく、文字以外にイラストなどでも良い。
【００３５】
さらに、ＣＰＵ３０は、タイトル情報が設定されている状態で、レリーズボタン１７の半押しが行われて撮影準備処理が完了すると、図８（Ｃ）に示すように、設定されているサブタイトル情報をＬＣＤ２０に目立つように点滅表示する。なお、サブタイトル情報を点滅表示したが、これに限らず、色を変化させたり、文字の大きさを変化させて目立つように表示してもよい。また、タイトル情報しか設定されていない場合には、設定されているタイトル情報をＬＣＤ２０に点滅表示させる。
【００３６】
また、設定解除手段であるタイトル情報解除部６２は、タイトル情報検出部６１によってタイトル情報が設定されていることが検出され、かつ所定の条件が満たされた際に、ＣＰＵ２０に解除信号を出力してシステムメモリ３５に設定されたタイトル情報とサブタイトル情報の設定解除を行うものである。例えばこの所定条件としては、デジタルカメラ２の電源のオフ操作が行われた場合である。なお、この所定条件としては、デジタルカメラ２を専用ケースに収納した場合や、メモリカード１８がカードスロット１９から抜かれた場合や、撮影モードを変更した場合などでもよく、適宜に設定することが好ましい。
【００３７】
また、ＣＰＵ３０は、画像タイトル情報が設定された際に、タイトル情報に対応するフォルダ５１と、このフォルダ５１内にサブタイトル情報に対応するサブフォルダ５２がメモリカード１８に存在するか否かを判定する。もし、フォルダ５１またはサブフォルダ５２が存在しないと判定された場合には、ＣＰＵ３０はメモリリーダ／ライタ４１を制御して、フォルダ５１またはサブフォルダ５２を作成する。
【００３８】
また、バス３１には、ストロボ制御回路６３、時計回路６４、及び操作部２１などが接続されている。ストロボ制御回路６３は、ストロボ装置１４の動作を制御する。ストロボ制御回路６３は、輝度が低い撮影条件下において、被写体に向けてストロボ光を発光させる。時計回路６４は、クロックパルスを係数して日時信号をＣＰＵ３０に出力する回路である。この日時信号は、撮影が行われると画像ファイル４０の付属情報４０ｃに付加される。また、時計回路６４は、デジタルカメラ２とは別の電源電池（図示せず）により作動している。操作部２１の各種操作ボタンはバス３１を介してＣＰＵ３０に接続されており、ＣＰＵ３０は各種操作ボタンからの信号に基づいてデジタルカメラ２の各部を制御している。
【００３９】
次に、図９に示すフローチャートを用いて上記構成の作用を説明する。例えば、ゴルフ大会で撮影を行う場合を説明する。ユーザは、デジタルカメラ２の電源をオンにして、モードダイヤル１６を操作する。これにより、セットアップモードが設定されると、図３（Ａ）に示すように、ＬＣＤ２０には撮影メニュー画面２９ａが表示される。
【００４０】
そして、撮影メニュー画面２９ａで画像タイトルの項目を選択すると、図３（Ｂ）に示すように、ＬＣＤ２０には画像タイトル画面２９ｂが表示される。そして、ユーザは画像タイトルとして「スポーツ」、「家族」、「学校」と、「新規入力」の中から「スポーツ」を選択する。これにより、ＬＣＤ２０には図３（Ｃ）に示すサブタイトル画面２９ｃが表示される。サブタイトル画面２９ｃには、「スポーツ」に関連付けられたサブタイトル情報である「ゴルフ大会」、「野球大会」、「スキー」と、「新規入力」が表示される。そして、ユーザはカーソル２８で「ゴルフ大会」を選択し、決定ボタン２５を押す。これにより、タイトル情報設定部６０は画像タイトル情報としては「スポーツ」を、サブタイトル情報としては「ゴルフ大会」をシステムメモリ３５に設定する。
【００４１】
この時、ＣＰＵ３０は、メモリカード１８に作成された「スポーツ」のフォルダ５１内に「ゴルフ大会」のサブフォルダ５２が存在するか否かを判定する。もし、メモリカード１８に「スポーツ」のフォルダ５１が存在しないと判定された際には、ＣＰＵ３０はメモリリーダ／ライタ４１を制御して「スポーツ」のフォルダ５１を作成し、このフォルダ５１内に「ゴルフ大会」のサブフォルダ５２を作成させる。また、メモリカード１８に「スポーツ」のフォルダ５１は存在するが「ゴルフ大会」のサブフォルダ５２が存在しないと判定された場合には、「スポーツ」のフォルダ５１内に「ゴルフ大会」のサブフォルダ５２だけを作成させる。
【００４２】
タイトル情報が設定されると、セットアップモードから静止画撮影モードに変更される。このとき図６（Ａ）に示すように、ＣＰＵ３０は、ＬＣＤ２０に「Ｔｉｔｌｅ」の文字を表示する。また、タイトル情報が設定されずに静止画撮影モードが選択されると、図７（Ｂ）に示すように、ＣＰＵ３０はＬＣＤ２０に「Ｎｏ  Ｔｉｔｌｅ」の文字を表示する。これにより、ユーザはタイトル情報が設定されているか否かを容易に確認することができる。従って、画像タイトル情報の設定を忘れて撮影することがない。
【００４３】
そして、ユーザはＬＣＤ２０で被写体を確認しながらフレーミングを行い、レリーズボタン１７を半押しする。これにより、露光調整、撮像レンズ１０の焦点調整などの各種撮影準備処理が施される。この時、システムメモリ３５にはタイトル情報が設定されているので、撮影準備処理の完了とともに図７（Ｃ）に示すようにＬＣＤ２０に「ゴルフ大会」の文字が点滅表示される。このように、設定されているサブタイトル情報が目立つように表示されるので、ユーザは撮影する前に適切な画像タイトル情報が設定されているか否かを確認することができる。なお、設定されている「スポーツ」と「ゴルフ大会」とを交互に点滅表示させてもよい。
【００４４】
そして、レリーズボタン１７が全押しされると撮影が行われる。これにより、画像データと付属情報４０ｃから画像ファイル４０が作成され、この付属情報４０ｃには、システムメモリ３５に設定された「スポーツ」のタイトル情報、及び「ゴルフ大会」のサブタイトル情報が付加される。そして、この画像ファイル４０は、メモリカード１８の「ゴルフ大会」のサブフォルダ５２に格納される。従って、画像ファイル５２に付加されたタイトル情報の対応したフォルダ内から所望の画像ファイル４０を容易に探し出すことができる。
【００４５】
また、例えば、不揮発性メモリ４６に予め記録されたサブタイトル情報に含まれていない「ボーリング大会」などの状況を撮影する場合には、図３（Ｂ）に示すように、画像タイトル画面２９ｂで「スポーツ」の項目を選択した後、図７（Ａ）に示すサブタイトル画面２９ｃで「新規入力」の項目を選択する。これにより、ＬＣＤ２０には、図７（Ｂ）に示すように、ソフトキーボード５６を表示させる。ユーザはソフトキーボード５６で文字データを入力することによって「ボーリング大会」のサブタイトル情報を不揮発性メモリ４６に新規に記憶させる。
【００４６】
「ボーリング大会」のサブタイトル情報が新規に記憶されると、ＣＰＵ３０はメモリリーダ／ライタ４１を制御して、「スポーツ」のフォルダ内に「ボーリング大会」のサブフォルダ５２を作成させる。さらに、ＣＰＵ３０は、システムメモリ３０に「ボーリング大会」のサブタイトル情報を設定する。なお、図３（Ｂ）に示すように、画像タイトル画面２９ｂで「新規入力」の項目が選択された場合も同様に、ソフトキーボード５６を用いて画像タイトル情報を新規に記憶、設定することができる。
【００４７】
撮影が終了して電源ボタン２２がオフ操作されると、タイトル情報解除部６２はシステムメモリ３５に設定されていた「スポーツ」の画像タイトルと「ゴルフ大会」のサブタイトル情報の解除を行う。これにより、再びデジタルカメラ２の電源をオンにして撮影を行う際には、ユーザは画像タイトル情報を改めて設定する必要があるので、前回設定した画像タイトル情報が次回の撮影によって得られる画像ファイル４０にそのまま付加されることがない。これにより、画像ファイル４０には適切な画像タイトル情報が付加されとともに、画像ファイル４０は適切なフォルダに格納される。
【００４８】
なお、上記実施形態では、デジタルカメラ２に内蔵された不揮発性メモリ４６にタイトル情報及びサブタイトル情報を予め設定したが、これに代えて、タイトル情報及びサブタイトル情報をメモリカード１８に予め記録しておき、デジタルカメラ２の電源がオンとなった際に、メモリカード１８から不揮発性メモリ４６にタイトル情報及びサブタイトル情報を読み出してもよい。
【００４９】
この場合、例えば図１０（Ａ）に示すように、デジタルカメラ２の各種設定を行うメニュー画面７０をＬＣＤ２０に表示する。メニュー画面７０には、日時設定、パワーセーブ設定、画像タイトル情報編集、オールリセットなどが設けられており、ユーザはカーソル２８で画像タイトル情報編集の項目を選択する。
【００５０】
画像タイトル情報編集の項目が選択されると、図１０（Ｂ）に示すように、ＬＣＤ２０には内部メモリ編集、外部メモリ編集、外部→内部転送、内部→外部転送の項目が表示される。ユーザが外部→内部転送を選択すると、メモリカード１８から不揮発性メモリ４６にタイトル情報及びサブタイトル情報が転送される。なお、内部メモリ編集は、メモリカード１８から不揮発性メモリ４５に転送したタイトル情報及びサブタイトル情報の編集（画像タイトル情報の削除など）を行う。メモリカード編集は、メモリカード１８に記録されたタイトル情報及びサブタイトル情報の編集（画像タイトル情報の削除など）を行う。内部→外部転送は、ソフトキーボード５６などで不揮発性メモリ４６に新規に更新記録された撮影ジャンル情報またはサブタイトル情報をメモリカード１８に更新記録するものである。
【００５１】
なお、メモリカード１８に予め記録するタイトル情報およびサブタイトル情報は、メモリカード１８の製造時にメーカーが記録してもよく、ユーザがパソコンやソフトキーボード５６等を使って記録してもよい。ユーザが自らタイトル情報及びサブタイトル情報をメモリカード１８に記録する場合は、各ユーザの撮影スタイルに合ったタイトル情報を設定することができるので、使い勝手が向上する。
【００５２】
また、デジタルカメラ２に内蔵した不揮発性メモリ４６を揮発性メモリに替えてもよい。この場合は、メモリカード１８からタイトル情報およびサブタイトル情報が揮発性メモリ４６に転送されても、デジタルカメラ２の電源をオフにすることによって、転送された画像タイトル情報は消去されるので、揮発性メモリはタイトル情報解除部６２の機能を兼ねることになる。
【００５３】
また、上記実施形態では、デジタルカメラ２の電源のオフ操作（所定条件）に基づいてタイトル情報及びサブタイトル情報を解除したが、これに加えて、ユーザによって所定操作が行われてからの経過時間を計時し、この計時結果が予め設定された基準時間を越えた場合に画像タイトル情報の解除を行ってもよい。この所定操作として、例えば、画像タイトル情報の設定操作を例に挙げて説明する。なお、上記実施形態と同一の構成部材には同一の符号を付してその説明は省略する。
【００５４】
図１１及び図１２に示すように、デジタルカメラ７１には、タイトル画面２９ｂ（図３（Ｂ）参照）でタイトルの項目が選択され、決定ボタン２５が押圧されてからの経過時間を計時する計時部７２が設けられている。決定ボタン２５が押圧されてタイトル情報が設定されると、計時部７２は時計回路６４から時刻情報を取得してシステムメモリ３５に記憶させる。計時部７２は、この時刻情報に基づいて経過時間の計時を開始する。また、システムメモリ３５には、予め設定された基準時間が記憶されている。計時部７２による計時結果はＣＰＵ３０に一定間隔で入力される。判定手段であるＣＰＵ３０は、計時部７２からの計時結果が基準時間を越えたか否かを判定する。
【００５５】
ＣＰＵ３０によって計時結果が基準時間を越えたと判定された場合には、ＣＰＵ３０はタイトル情報解除部６２を制御して、タイトル情報及びサブタイトル情報の解除を行う。また、計時結果が基準時間を越えていないと判定された場合には、現在設定されているタイトル情報及びサブタイトル情報の設定が継続される。従って、長い時間撮影を行う場合に、所定時間経過するとタイトルを再び設定する必要があるので、間違ったタイトル情報を付加することを防止できる。
【００５６】
なお、ユーザの行う所定操作としては、画像タイトル情報の設定操作を行う場合を説明したが、これに限らず、レリーズボタン１７の押圧操作（半押し、または全押し）や、ストロボ装置１４のポップアップ操作や、画素数やホワイトバランスなどの設定変更操作や、電源のオン、オフ操作などを行ってからの経過時間の計時を行ってもよい。
【００５７】
また、上記実施形態では、デジタルカメラ２の電源がオフ操作されたことを所定条件とし、設定されたタイトル情報及びサブタイトル情報の解除を行ったが、所定条件としてメモリカード１８がカードスロット１９から抜き出されたことを検出してタイトル情報及びサブタイトル情報の解除を行ってもよい。カードスロット１９からメモリカード１８を抜き出す場合は、電源をオフの状態で行う。そのため、デジタルカメラ２に１ｂｉｔメモリを設け、電源がオフとなった後にも微小電流を供給する機能を備えることが好ましい。
【００５８】
この場合、デジタルカメラ２の電源をオフにすると、メモリカード１８の抜き出されたことを検出するために、電源電池（図示せず）からデジタルカメラ２に微小電力を供給する。メモリカード１８がカードスロット１９から抜き出されると、微小電力を用いて１ｂｉｔメモリにメモリカード１８が抜き出されたことを示すフラグを記録する。このフラグを１ｂｉｔメモリに記録することで、デジタルカメラ２に供給していた微小電力の供給を完全に中止する。
【００５９】
デジタルカメラ２の電源がオンとなると、タイトル情報解除部６２は１ｂｉｔメモリにフラグが記録されているか否かを検出し、フラグが検出された場合には前回設定したタイトル情報及びサブタイトル情報の解除を行う。このように、所定条件としてメモリカード１８が抜き出されたことが確実に検出され、タイトル情報及びサブタイトル情報の解除が行われるので、常に適切なタイトル情報を画像ファイルに付加することができる。
【００６０】
なお、上記実施形態で説明したタイトル情報、及びサブタイトル情報は、一例であり、タイトル情報及びサブタイトル情報は適宜に設定することが好ましい。また、タイトル情報だけが設定された場合は、画像ファイル４０をタイトル情報に対応するフォルダ５１に格納することが好ましい。
【００６１】
なお、上記実施形態では、セットアップモードを選択してタイトル情報及びサブタイトル情報を設定したが、これに限らず、デジタルカメラの電源が投入された際に、タイトル画面２９ｂを自動的にＬＣＤ２０に表示させ、タイトル情報及びサブタイトル情報の設定を行ってからでないと撮影を行えないようにしてもよい。
【００６２】
なお、上記実施形態では、ＬＣＤ２０にサブタイトル情報の設定の有無を「Ｔｉｔｌｅ」、「Ｎｏ  Ｔｉｔｌｅ」の文字を表示して報知したが、これに限らず、ＬＥＤなどのライトやスピーカなどを設け、ＬＥＤを点灯させたり、スピーカから音声を出力させたりすることによってタイトル情報及びサブタイトル情報の設定の有無を報知してもよい。
【００６３】
上記実施形態では、タイトル情報に対応したフォルダ５１、及びサブタイトル情報に対応したサブフォルダ５２をメモリカード１８に作成し、タイトル情報に対応したフォルダ５１またはサブフォルダ５２に画像ファイル４０を格納したが、これに限らず、フォルダ５１及びサブフォルダ５２をデジタルカメラ２に内蔵されているメモリに作成し、このメモリに画像ファイル４０を格納してもよい。
【００６４】
上記実施形態では、タイトル情報設定部６０とタイトル情報解除部６２を個別に設けたが一緒に設けてもよい。また、デジタルカメラ２にサブタイトル情報が設定されずに撮影が行われた場合には、画像ファイルはメモリカード１８の所定領域に記録されるようにしてもよい。
【図面の簡単な説明】
【００６５】
【図１】本発明を適用したデジタルカメラの概略を示す正面斜視図である。
【図２】本発明を適用したデジタルカメラの概略を示す背面斜視図である。
【図３】画像タイトル情報の設定方法を示す説明図である。
【図４】デジタルカメラの電気的構成を示すブロック図である。
【図５】画像ファイルの構成を示す模式図である。
【図６】メモリカードに階層構造で作成されたフォルダ及びサブフォルダを示す説明図である。
【図７】ＬＣＤに表示されるソフトキーボードを示す説明図である。
【図８】タイトル情報の設定の有無の報知を説明する説明図である。
【図９】タイトル情報の設定及び解除の流れを示すフローチャートである。
【図１０】メモリカードからデジタルカメラのメモリにタイトル情報を転送する方法を示す説明図である。
【図１１】計時部を備えたデジタルカメラの電気的構成を示すブロック図である。
【図１２】計時結果と基準時間とを判定し、解除を行う流れを示すフローチャートである。
【符号の説明】
【００６６】
２  デジタルカメラ
１８  メモリカード
２０  ＬＣＤ
２８  カーソル
３６  不揮発性メモリ
５５  ＯＳＤ回路
５７  タッチパネル
６０  タイトル情報設定部
６１  タイトル情報検出部
６２  タイトル情報解除部
６４  時計回路
７２  計時部
【図１】
2007060432.tif 000003
【図２】
2007060432.tif 000004
【図３】
2007060432.tif 000005
【図４】
2007060432.tif 000006
【図５】
2007060432.tif 000007
【図６】
2007060432.tif 000008
【図７】
2007060432.tif 000009
【図８】
2007060432.tif 000010
【図９】
2007060432.tif 000011
【図１０】
2007060432.tif 000012
【図１１】
2007060432.tif 000013
【図１２】
2007060432.tif 000014